(57)【要約】      （修正有）【課題】テーブルの積重ね時に上段となるテーブルをテーブル裏面に固定された脚部材の連結片に設けた滑動部材で下段の天板上を滑らせて容易に移動させ、移動後には異なる連結片に設けた静止部材で上段のテーブルの積重ね姿勢を維持した積重ね式テーブルを提供する。【解決手段】積重ね式テーブル１、１’’は、天板２の対向する辺の一方側に固定された一対の脚部材４の連結片部５に、下方に突出して天板２上を滑動しうる滑動部材６を突設し、天板２の対向する辺の他方側に固定された一対の脚部材３、３’の連結片部５に、下方に突出して天板２上で摩擦力で静止する静止部材７を下向きに突設する。【選択図】図１０
2016083239.tif 000002
【特許請求の範囲】
【請求項１】
天板に、脚柱部と天板に固定される連結片部とからなるＬ状の４つの脚部材を着脱可能に固定し、天板の一方の対向する辺に沿ってそれぞれ脚柱部が天板の外側となるように連結片部を固定し、各脚柱部は天板の対向する辺の一方の辺側に固定された脚柱部が他方の辺側に固定された脚柱部よりも天板から長く離間するように配置された積重ね式テーブルにおいて、
天板の対向する辺の一方側に固定された一対の脚部材の連結片部に、下方に突出して天板上を滑動しうる滑動部材を突設し、
天板の対向する辺の他方側に固定された一対の脚部材の連結片部に、下方に突出して天板上で摩擦力で静止する静止部材を下向きに突設してなることを特徴とする積重ね式テーブル。
【請求項２】
天板の対向する辺にそれぞれ固定される一対づつの脚部材が、一方の一対の脚部材の連結片部が、該連結片部が隣接する天板の対向する一方の辺に接近して配置されており、
他方の一対の脚部材の連結片部が、該連結片部が隣接する天板の対向する他方の辺から離間するように配置されており、
前記天板の他方の辺から離間する長さは、少なくとも連結片部の横幅以上の長さに設定されていることを特徴とする請求項１に記載の積重ね式テーブル。
【請求項３】
脚柱部の下端に車輪を軸支すると共に、アジャスターを内蔵したキャップが外嵌されていることを特徴とする請求項１または２に記載の積重ね式テーブル。
【請求項４】
静止部材は、滑動部材の突出長さと同一または僅かに長い突出長さからなり、
滑動部材と静止部材とは、天板の対向する方向に対して重ならないようにずれて配置されていることを特徴とする請求項１から３のいずれかに記載の積重ね式テーブル。
【発明の詳細な説明】
【技術分野】
【０００１】
本発明は、容易に且つ確実にスタッキングすることができると共に、連続して隙間なく一連に並べることもできる積重ねテーブルの改良に関する。
【背景技術】
【０００２】
従来、例えば、特開２００８−８６６７１号のスタッキングできるテーブルでは、平面四角形の天板と該天板を支持した４本の脚を備えたテーブルにおいて、前記天板の左右側辺に平面から見て窪んだ部位を形成して、当該天板の左右幅を、その天板の前端辺側と後端辺側で差異を持つように形成すると共に、当該天板下面の四隅部に脚を位置付けて設けてテーブルを形成し、このテーブルをスタックするとき、上位のテーブルの天板の幅広側に位置した脚を下位のテーブルの幅狭側に位置した窪んだ部位の前端近傍に位置付けてスタッキングした構成が知られている。
上記構成では天板の左右側辺に突出部を設ける必要があり、テーブルを並べると左右に突出部が配置されるため、突出部間に大きな貫通穴が形成されてしまい天板上を連続する同一面にすることができない、という不具合があった。
また、テーブルのスタッキングに際して、上段のテーブルの突出部側に設けた脚は、下段のテーブルの突出部の縁部と衝合する位置までしか重ねることができず、スタッキングする際に上段のテーブルを下段のテーブルに対して前記突出部の縁部と接する位置まで離して重ねるので、コンパクトに収納できないという不具合もあった。
【先行技術文献】
【特許文献】
【０００３】
【特許文献１】特開２００８−８６６７１号公報
【発明の概要】
【発明が解決しようとする課題】
【０００４】
この発明は、上記問題点を解決するために、テーブルの積重ね時には上段となるテーブルをテーブル裏面に固定された脚部材の連結片に設けた滑動部材で下段の天板上を滑らせて容易に移動させ、移動後には異なる連結片に設けた静止部材で上段のテーブルの積重ね姿勢を維持するようにすると共に、テーブルの天板が一連となるように連続して並べる際には隣接するテーブル間の脚柱が掛止められて容易に並べることができる積重ね式テーブルを提供することにある。
【課題を解決するための手段】
【０００５】
本発明は、上記課題を解決するために、請求項１の発明では、
天板に、脚柱部と天板に固定される連結片部とからなるＬ状の４つの脚部材を着脱可能に固定し、天板の一方の対向する辺に沿ってそれぞれ脚柱部が天板の外側となるように連結片部を固定し、各脚柱部は天板の対向する辺の一方の辺側に固定された脚柱部が他方の辺側に固定された脚柱部よりも天板から長く離間するように配置された積重ね式テーブルにおいて、
天板の対向する辺の一方側に固定された一対の脚部材の連結片部に、下方に突出して天板上を滑動しうる滑動部材を突設し、
天板の対向する辺の他方側に固定された一対の脚部材の連結片部に、下方に突出して天板上で摩擦力で静止する静止部材を下向きに突設してなることを特徴とする。
請求項２の発明では、
天板の対向する辺にそれぞれ固定される一対づつの脚部材が、一方の一対の脚部材の連結片部が、該連結片部が隣接する天板の対向する一方の辺に接近して配置されており、
他方の一対の脚部材の連結片部が、該連結片部が隣接する天板の対向する他方の辺から離間するように配置されており、
前記天板の他方の辺から離間する長さは、少なくとも連結片部の横幅以上の長さに設定されていることを特徴とする。
請求項３の発明では、
脚柱部の下端に車輪を軸支すると共に、アジャスターを内蔵したキャップが外嵌されていることを特徴とする。
請求項４の発明では、
静止部材は、滑動部材の突出長さと同一または僅かに長い突出長さからなり、
滑動部材と静止部材とは、天板の対向する方向に対して重ならないようにずれて配置されていることを特徴とする。
【発明の効果】
【０００６】
本発明では、脚部材が連結片部と脚柱部からなるＬ形状となるので脚部材は天板と別に輸送することができ、使用場所で組み立てればよいので、輸送・製造保管時は小さくでき、場所をとらず、輸送費も低減できる。
また、脚柱部にはアジャスター・車輪付きの脚キャップを外嵌することで、設置面の凹凸に応じて脚の高さ調節ができ、また、移動しやすいし、脚キャップを全ての脚柱部に装着すれば、両方向に容易に移動できる。
複数台のテーブルを連続して使用する場合は、脚部材の向きを交互に配列することで、密着して配列でき、テーブルがずれにくい。
積み重ね収納時は、相対的に上段となるテーブルの天板裏面側に滑動部材を設けて、下段のテーブルの天板上を滑らせて押し込むことで、容易にスタッキング収納できる。    
押し込み終わると、静止部材が下段のテーブルの天板に接し摩擦力によってスタッキング収納が容易には崩れない。
【図面の簡単な説明】
【０００７】
【図１】実施例１の積重ね式テーブルの底面図である。
【図２】同側面図である。
【図３】脚カバーを示す図で（ａ）は正面図、（ｂ）は背面図、（ｃ）は側面図である。
【図４】（ａ）は滑動部材の断面図、（ｂ）は静止部材の断面図である。
【図５】天板を連続して並べる場合の底面図である。
【図６】テーブルを移動させる場合を示す側面図である。
【図７】テーブルを積重ねる場合の第１段階を示す側面図である。
【図８】上段のテーブルを下段のテーブルの天板上を滑らせて上下に重ねる状態の第２段階を説明する側面図である。
【図９】上下にテーブルを積重ねた第３段階を示す側面図である。
【図１０】積重ね時の滑動部材と静止部材を示す拡大図である。
【図１１】テーブルを３段に積重ねた状態の側面図である。
【図１２】図１０の底面図である。
【発明を実施するための形態】
【０００８】
この発明は、天板から離間する長さを、天板の対向する辺側に設けた脚部材間で変更すると共に、積重ね方向で先端側となるように連結片部に滑動部材を設けて下段のテーブル上面を滑らせ、積重ね方向で後端側となるように連結片部に静止部材を設けて、上段に積重ねられたテーブルが変位しないように静止させるようにして、積重ね時の容易さと安定性、天板連結時の連続姿勢の維持を実現した。
【実施例１】
【０００９】
図１及び図２に示す積重ね式テーブル１は、矩形状の天板２と、Ｌ字状の４つの脚部材３とからなっている。
天板２は、上面が平坦面からなっており、裏面には脚部材３を固定するためのナット部Ｎを埋設している。
脚部材３（３）’は、略直線状に伸びる脚柱部４と、該脚柱部４から直角に折れ曲がって略直線状に延び前記天板２の裏面側で前記ナット部ＮにボルトＢを緊締して天板２に固定される連結片部５とからなっている。
【００１０】
前記脚部材３（３’）は、前記天板２の縦または横の一方向の対向する辺、本実施例では、天板２の長手辺２ａに沿って、それぞれ各脚柱部４が天板２の外側となるように各連結片部５を天板の長手方向と平行に配置して、天板裏面に形成されたナット部Ｎと連結片部５に形成された貫通孔Ｈを整合してボルトＢを通し、先端をナット部Ｎに螺合して、脚部材３（３’）を天板２に固定している。
【００１１】
脚部材３（３’）は、天板２の短手辺２ｂの縁部より外側に離間しているが、天板２の一方の長手辺側で対向する一対の脚部材３は、天板２の他方の長手辺側で対向する一対の脚部材（以下、便宜上、３’とする）に対して、脚柱部４が天板２の短手辺２ｂの縁部より外側へより長く離間するように配置されている。
【００１２】
そして、同時に、前記一対の脚部材３、３’は、少なくともいずれか一方（図示例では脚部材３’）が天板２の長手辺２ａの縁部から連結片部５の横幅の長さ以上離れて隙間Ｓを設けた位置で、天板２の裏面に固定されている。
なお、符号２０は、脚部材３、３’間に掛け渡される横架片であり、天板２の裏面に直接固定され、または連結片部５を介して天板２裏面に固定される。
【００１３】
これにより、複数の積重ね式テーブル１を長手方向に連続して並べる場合に、図５に示すように、各テーブル１の天板２が隙間なく連続し、また、各テーブル１の短手辺を交互に反転して並べることで、前記テーブル１の脚部材３’の外側となる隙間Ｓに、隣接したテーブル（便宜上、１’とする）の脚部材３の脚柱部４が入り込み、前記テーブル１の脚部材３には、隣接したテーブル１’の脚部材３’の脚柱部４内側に入り込む。
このように連続するテーブル１、１’間で、脚部材３と脚部材３’とが相互に隙間なく短手方向に掛止められるので、テーブル１，１’の連続姿勢を正確に合わせて保持することができる。
【００１４】
前記脚部材３の脚柱部４の下端には、脚キャップ８が外嵌されている。
該脚キャップ８は、図３に示すように、脚柱部４の下端に嵌め込まれる上端が開口された受部８ａと、キャップ本体の一側に偏った下部に軸支されて下端が接地する車輪９と、該車輪９と並んで設けられるアジャスター又はストッパー１０とを備えている。
【００１５】
このアジャスター又はストッパー１０は下端が車輪９の下端より僅かに下方に設定されており、アジャスターの場合は、上方ないし下方に昇降可能に変位させることができる。
そして、図示例では、脚キャップ８の車輪９は、テーブル１を傾けた際に最も下端の位置となるように脚キャップ８が脚柱部４に嵌め込まれる。
【００１６】
この脚キャップ８は、一部または全部の脚柱部４に取り付けることができるが、本実施例では全ての脚柱部４に装着している。
従って、通常時には、アジャスター又はストッパー１０の下端が設置面に接しているので、車輪９は回転しないが、図６に示すように、テーブル１を傾けることで車輪９の下端がアジャスター又はストッパー１０の下端よりも下方になるので、前記テーブル１は設置面上を容易に誰でも滑動させることができる。
【００１７】
また、前記脚部材３の各連結片部５には、下方に突出して下段に配置された天板２上を摺動ないし滑動しうる滑動部材６が設けられている。
該滑動部材６は、少なくとも下面が摩擦の少ない素材、例えばフッ素樹脂素材からなっている。
本実施例で一例を示すと、脚部材３の連結片部５で横架片２０を避けた内側に突部２１をネジ２２などで固定して、該突部２１にキャップ状のカグスベール（登録商標  ニチアス株式会社）２３を外嵌した構成からなっている。
【００１８】
次に、対向する各脚部材３’には、横架片２０と脚部材３’の連結片部５とが交差する個所に下段のテーブル１の天板２上面との摩擦によって摺動が困難となる静止部材７が設けられている。
該静止部材７は、少なくとも下面が摩擦力の高い素材、例えばポリウレタンや軟質塩化ビニルなどからなっている。
本実施例で一例を示すと、底面が前記滑動部材６と同一乃至僅かに長く突出するプラパート（登録商標  株式会社石黒製作所）２５を前記位置にネジ２４で固定している。
【００１９】
次に、上記テーブル１を積重ねる場合には、図７から図９に示すように、まず下段のテーブル１と上段に重ねるテーブル（便宜上、１”とする）の向きを同一にしておく。
そして、上段のテーブル１”の短手辺側の一方、図示例では脚部材３’側を下にし、脚部材３側を上になるように傾斜させて、テーブル１”の脚部材３側を下段のテーブル１の天板２上に押し上げる。
この際に、前記脚キャップ８の車輪９を基点にすることで、容易にテーブル１”を傾斜させ、下段のテーブル１の天板２上に上段のテーブル１”の連結片部５を掛止めることができる。
【００２０】
次いで、図８に示すように、上段のテーブル１の後端側を持ち上げて水平姿勢にして、先端側となる一対の脚部材３にそれぞれ設けた滑動部材６によって下段のテーブル１の天板２上をスライドさせる。
即ち、上段のテーブル１”の脚部材３の脚柱部４が、下段のテーブル１の脚部材３の脚柱部４と衝合する位置までスライドさせて、上下に重ねる（図９参照。
【００２１】
これにより、前記静止部材７は、スライドした最後に下段のテーブル１の天板２の縁部寄りに乗り上げるので、下段のテーブル１の天板２上には、滑動部材６と静止部材７とが同時に載置され、静止部材７の底面の摩擦力によって、上段のテーブル１”が前記積重ね位置で静止される。
本実施例では、静止部材７の固定用のネジ２４を横架片２０と連結片部５と天板２とを共締めするのに用いたので、滑動部材６と静止部材７とが天板の短手方向において位置がずれるように配置したが、両者の位置は短手方向において一致するものでも、前後にずれるものでもよい。
【００２２】
本実施例では、積重ね式テーブル１の天板２が矩形の場合を例示したが、この発明においては、天板が正方形のもの、多角形のもの、円形や楕円形のもの、円弧状のものなどであってもよい。
その場合、天板の対向する辺は直線に限らず、折れ曲がった辺や円弧状の辺となるが、同様に適用することができる。
その場合、天板に長手方向、短手方向が無い場合には、天板の中心を基準に縦方向、横方向に置き換えて適用すればよい。
その他、要するにこの発明の要旨を変更しない範囲で種々設計変更しうること勿論である。
【符号の説明】
【００２３】
１    積重ね式テーブル
２    天板
３    脚部材
４    脚柱部
５    連結片部
６    滑動部材
７    静止部材
８    脚キャップ
９    車輪
１０    アジャスター
２０    横架片
Ｂ    ボルト
Ｈ    貫通孔
Ｎ    ナット部
【図１】
2016083239.tif 000003
【図２】
2016083239.tif 000004
【図３】
2016083239.tif 000005
【図４】
2016083239.tif 000006
【図５】
2016083239.tif 000007
【図６】
2016083239.tif 000008
【図７】
2016083239.tif 000009
【図８】
2016083239.tif 000010
【図９】
2016083239.tif 000011
【図１０】
2016083239.tif 000012
【図１１】
2016083239.tif 000013
【図１２】
2016083239.tif 000014